(57)【要約】      （修正有）【課題】拝礼者が容易に遺体に対面できる棺を提供する。【解決手段】直方形の箱形状の棺の底板２と四囲の側板３からなる方形枠が分離でき、底板２に対し、棺台１０に載せた棺の四囲の側板３からなる方形枠のみを下方にスライドさせて床面まで降下させることで、遺体が載せられた底板が棺台の上に留まったまま、周囲の側板が除かれ、遺体が回りより見えるようになる。底板２は通常は箱の下部で係止段４に係止され、上方へ浮動するのを阻止するために、箱の内側下部には、底板２の上面を押える押え具が取付けられている。【選択図】図１
0003202604.tif 000002
【実用新案登録請求の範囲】
【請求項１】
直方形の箱の底板が、箱の内径より小さい径であり、箱の四方枠の側板の下端の全周に、箱の内方向に突設して形成された係止段４で係止され、係止された底板の上面が、側板の内側下部の周方向に適宜間隔で取付けられている押え具により押えられるようになっており、底板と四方枠の側板とは相対的に上下動可能となっていて、棺を棺台に載置した状態で、押え具の押えを解除して、四方枠の側板を下降させることで、底板に安置した遺体を棺の上部に露出させることができるようにしたことを特徴とする棺。
【請求項２】
前記押え具が、側板の内側下部に設けた凹部の収容孔に収容され、弾性力にて収容孔より常時突出するように付勢されていることを特徴とする請求項１に記載の棺。
【請求項３】
前記押え具が板バネであり、上部が収容孔内で固定され、下部の舌片が収容孔の外方向、すなわち箱の内方向へ付勢されるように反っていることを特徴とする請求項２に記載の棺。
【請求項４】
前記押え具の下部の舌片と収容孔の底との間に、バネ、スポンジ、弾性ワッシャー等の弾性材が介装されていて、舌片が常態で収容孔の外へ突出して位置するように弾圧してなることを特徴とする請求項２に記載の棺。
【考案の詳細な説明】
【技術分野】
【０００１】
本考案は、遺体を安置する祭壇としても使用できる棺の構造に関するものである。
【背景技術】
【０００２】
通常、遺体は、まず修復され、湯潅した後に仏衣が着せられて納棺される。使用される棺は、遺体を収納するに十分な深さを有する箱となっているため、棺内に遺体を入れる時は、数人で遺体を持ち上げ、狭い箱内に遺体の姿勢に注意しながら納めねばならず、特に、体重がある遺体の場合には非常な労力および注意を要する。
また、棺内に納められた遺体は、上から覗き込まないと見ることができず、さらに葬儀の際には、棺の周りに生花等が飾られるので、棺に近づけないため余計に棺内を覗き見ることが困難である。そのために葬儀の参列者は遺体を見て拝礼することが全くできない。
【０００３】
従来、棺の側板を外れるようにして遺体を露出するようにした組立て式棺、側板を上下に折り重ねて畳める棺(特許文献１参照)、棺を上下方向に分割した複数の枠から構成し、棺の分割した枠を上部から順に取り除いていくことにより、遺体の上部のみ、あるいは全身を露出させることができ、遺体を離れたところからも見えるようにした棺が存する(特許文献２参照)。
【先行技術文献】
【特許文献】
【０００４】
【特許文献１】特願２０１２−２４４５７２
【特許文献２】特願２０１３−２４０５４９
【考案の概要】
【考案が解決しようとする課題】
【０００５】
従来の側板を外れるようにした棺は、複数の部材からなるため製作および現場にての組立てが面倒であり、さらに複数の部材を紛失せずに保管することが大変である。
側板を折畳む形式および分割した複数の枠からなる棺は、棺の周囲に祭壇、生花等があってスペースが存しない場合には、現場での折畳み、組立ての作業が困難である。さらに遺体を損傷しないように注意して行わねばならず非常な注意が要求される。
【課題を解決するための手段】
【０００６】
本考案は、箱形状の棺の底板と四囲の側板からなる方形枠とを分離して構成し、底板に対し、棺の四囲の側板からなる方形枠が下方にスライドできるようにしてある。まず、棺を棺台に載せ、棺の底板を棺台に載せたまま方形枠のみを下方にスライドさせて床面まで降下させる。方形枠は棺台を包囲して床面で静止する。遺体が載った底板は、棺台の上に留まる。したがって、棺の上部は、周囲の側板が除かれるので、遺体が回りより見えるようになる。
【考案の効果】
【０００７】
遺体を安置する底板の位置が、上方に位置し、しかも方形枠の上端よりわずかに低い位置に設定しておくことで、従来のように、遺体を持ち上げたのちに棺の底に降ろし込まなくてもよく、重量のある遺体でも底板に楽に安置することができる。納棺する時も方形枠を上方へスライドさせるだけで、遺体が棺内に納まるので、納棺も非常に楽に行える。
葬儀の際には、遺体が上方に安置され棺の側板に隠れないので、葬儀参列者等が遺体を見ながら拝礼することができるので送別に最適である。
【図面の簡単な説明】
【０００８】
【図１】拝礼時の遺体安置の正面側板を取り去って示す図
【図２】納棺状態を示す正面側板を取り去って示す図。
【図３】棺を分解して示す斜視図。
【図４】底板２の押え構造を示す断面図。
【図５】側板を一部取り去って示す斜視図。
【図６】透明カバーを付けた図。
【考案を実施するための形態】
【０００９】
本考案の棺１は、直方形の箱であり、底板２は固定されず、箱の内径より小さい径としてあり、箱の内部に落とし込み、直方形の箱の四方枠の側板３の下端３aの全周に、箱の内方向に突設してある係止段４で係止されるようになっている。フタ５は通常の棺と同様に、納棺時に、箱の上に載せて周囲をクギ、ビス等で固定できるようになっている。
【００１０】
底板２が係止段４に係止されている時に上方へ浮動するのを阻止するために、箱の内側下部に、底板２の上面を押える押え具６を取付けてある。押え具６は、図４(ｃ)に示されるように、係止段４に係止される底板２の厚さ分の間隔を有した上方位置で、側板の内側下部に、周方向に適宜間隔で取付けられている。本実施例では、２つの長辺の側板の対応する位置に２個ずつ配置してある。この押え具６は、底板２を直方形の箱内の底に落とし込む時には、側板内側に設けた凹部内(収容孔7)に収容されて邪魔にならず、係止段４に達した後は、凹部内より弾性力にて突出して底板２を押える作用を行う。
【００１１】
底板２の押え構造を、図４にしたがって説明する。
直方形の箱の長辺の側板３の内側下部に、前記したように、係止段４より底板２の厚さ分の上方の位置に、凹部である収容孔7が形成されている。底板を落とし込む通過時には、押え具６は、底板２に押圧されて収容孔７に押し込められ（図４（ｂ）参照)、底板２が底の係止段４に達した時には、底板２による押圧が解除され、押え具６の自由端の舌片８ｂが、収容孔７内に装着した弾性材１３により底板２の上面に弾性復帰して突出し、底板の浮動を押えるようになっている。
【００１２】
押え具６としては、板バネ、あるいはバネ、ゴム等で押え具６の自由端の舌片８ｂに弾性力を与え、突出させる構造のものが考えられる。板バネ８は、収容孔７の深さ以内の厚さであり、外方に反ったものの上端部８ａを収容孔７内の上部にねじ９等で固定する。
別の実施例としては、金属片、プラスティック等の剛性の部材の上部を固定し、下部の舌片と収容孔７の底との間にバネ、スポンジ、弾性ワッシャー等の弾性材１３を介装する。
【００１３】
押え具６を、前記したように弾性力を与えるように構成しておくことにより、常態で反っている押え具６の自由端の舌片８ｂは、収容孔７の外方へ付勢されて突出して位置することになる。これによって底板２を下方へ押圧する。
【００１４】
従来、葬儀の際、棺１は祭壇の上段の位置で、棺台１０に載せて高く安置される。図においては、棺台１０は箱枠型で示してあるが、折り畳み式の台、脚立等の高くできる装置でもよい。そして、高い位置に安置された棺の中の遺体は、棺の側板３に遮られて拝礼者からは見えない。
しかしながら、本考案の棺１は、四方の枠の側板３が、押え具６の押圧を解除することで、棺１の遺体１１を安置してある底板２と分離して下降できるので、図１に示すように、遺体１１を棺の上部に露出させることができるので、拝礼者から容易に拝顔が可能とできる。
【００１５】
上記したように、方形枠を下げた時に遺体１１が露出するように、遺体１１の安置位置が方形枠の上端よりやや高い位置となるように、棺台の高さおよび方形枠の高さを設計しておく。
また、納棺後に、棺を運ぶ際に持ち手が確実に棺を保持することができ、かつ底板部分に手が届き底板を持ち上げないように、方形枠の下部および係止段の幅を十分に確保しておく必要がある。
【００１６】
さらに、大空への旅立ちをイメージした演出として、屋根状、円形ドーム状の透明カバー１２を遺体の上部に被せることが考えられる。そして葬儀場の状況によっては、埃等から防護するために、本考案の棺のように遺体を上部に露出させた場合は、棺１のフタ５ができないので透明カバー等は有効である。
逆に、遺体を常時露出させておくことを遺族が気にされる場合は、ベールのような天蓋で覆う事で故人の尊厳をお守りすることも考えられる。
【符号の説明】
【００１７】
１  棺
２  底板
３  側板
４  係止段
５  フタ
６  押え具
７  収容孔
８  板バネ
８ａ  板バネ上部
８ｂ  舌片
９  ねじ
１０  棺台
１１  遺体
１２  透明カバー
１３  弾性材
【図１】
0003202604.tif 000003
【図２】
0003202604.tif 000004
【図３】
0003202604.tif 000005
【図４】
0003202604.tif 000006
【図５】
0003202604.tif 000007
【図６】
0003202604.tif 000008